(57)【要約】【課題】  複数の面を組み合わせて利用するデジタルサイネージを実現するにあたり、適切なスケジュールを組むことができるようにする。【解決手段】  画像投影システムであって、所定領域を分割し、複数の分割領域を生成する手段と、前記複数の分割領域のうちの１の分割領域に含まれる複数の面の位置及び大きさに基づいて、該１の分割領域に対応する１の画像を複数の分割画像に分割する手段と、前記１の分割領域に含まれる投影装置を介して、前記複数の分割画像を、前記１の分割領域に含まれる投影面それぞれに投影するためのスケジュールを入力する手段と、前記複数の分割画像それぞれについて、前記スケジュールに基づき投影を行うための処理区間が、他のスケジュールの処理区間と重複することがないように、前記スケジュールを組み込むことで、スケジュール情報を生成する手段とを有する。【選択図】図３
2018097081.tif 000002
【特許請求の範囲】
【請求項１】
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するためのスケジュールを入力する入力手段と、
前記複数の分割画像それぞれについて、前記スケジュールに基づき前記投影装置を介して投影を行うための処理区間が、他のスケジュールに基づきいずれかの前記投影装置を介して投影を行うための処理区間と重複することがないように、前記スケジュールを組み込むことで、スケジュール情報を生成する生成手段と
を有することを特徴とする画像投影システム。
【請求項２】
前記スケジュールに基づき前記投影装置を介して投影を行う場合の準備のための処理区間である準備区間が、前記他のスケジュールに基づきいずれかの前記投影装置を介して投影を行う場合の投影終了のための処理区間である終了区間と重複するか否かを判定する第１の判定手段と、
前記スケジュールに基づき前記投影装置を介して投影を行う場合の投影終了のための処理区間である終了区間が、前記他のスケジュールに基づきいずれかの前記投影装置を介して投影を行う場合の準備のための処理区間である準備区間と重複するか否かを判定する第２の判定手段と、を更に有し、
前記生成手段は、前記第１及び第２の判定手段において、重複しないと判定された場合に、前記スケジュールを組み込むことで、前記スケジュール情報を生成することを特徴とする請求項１に記載の画像投影システム。
【請求項３】
前記入力手段は、
前記第１の判定手段または前記第２の判定手段のいずれか一方において、重複すると判定された場合に、エラーメッセージを出力することを特徴とする請求項２に記載の画像投影システム。
【請求項４】
前記第１の判定手段または前記第２の判定手段のいずれか一方において、重複すると判定された場合、重複すると判定された処理区間における処理内容を変更する変更手段を更に有することを特徴とする請求項２に記載の画像投影システム。
【請求項５】
前記画像分割手段は、前記複数の分割画像を、前記１の分割領域に含まれる複数の面それぞれに対応する前記投影装置に対して、前記投影装置の投影時間帯以外かつ処理区間以外の時間帯に送信することを特徴とする請求項１乃至４のいずれか１項に記載の画像投影システム。
【請求項６】
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するためのスケジュールを入力する入力手段と、
前記複数の分割画像それぞれについて、前記スケジュールに基づき前記投影装置を介して投影を行うための処理区間が、他のスケジュールに基づきいずれかの前記投影装置を介して投影を行うための処理区間と重複することがないように、前記スケジュールを組み込むことで、スケジュール情報を生成する生成手段と
を有することを特徴とする情報処理装置。
【請求項７】
複数の面が含まれる所定領域を分割し、複数の分割領域を生成する領域分割工程と、
前記複数の分割領域のうちの１の分割領域に含まれる複数の面の位置及び大きさに基づいて、該１の分割領域に対応する１の画像を複数の分割画像に分割する画像分割工程と、
前記１の分割領域に含まれる複数の面それぞれに対応する投影装置を介して、前記複数の分割画像を、前記１の分割領域に含まれる複数の面に対応する投影面それぞれに投影するためのスケジュールを入力する入力工程と、
前記複数の分割画像それぞれについて、前記スケジュールに基づき前記投影装置を介して投影を行うための処理区間が、他のスケジュールに基づきいずれかの前記投影装置を介して投影を行うための処理区間と重複することがないように、前記スケジュールを組み込むことで、スケジュール情報を生成する生成工程と
を有することを特徴とする画像投影方法。
【請求項８】
複数の面が含まれる所定領域を分割し、複数の分割領域を生成する領域分割工程と、
前記複数の分割領域のうちの１の分割領域に含まれる複数の面の位置及び大きさに基づいて、該１の分割領域に対応する１の画像を複数の分割画像に分割する画像分割工程と、
前記１の分割領域に含まれる複数の面それぞれに対応する投影装置を介して、前記複数の分割画像を、前記１の分割領域に含まれる複数の面に対応する投影面それぞれに投影するためのスケジュールを入力する入力工程と、
前記複数の分割画像それぞれについて、前記スケジュールに基づき前記投影装置を介して投影を行うための処理区間が、他のスケジュールに基づきいずれかの前記投影装置を介して投影を行うための処理区間と重複することがないように、前記スケジュールを組み込むことで、スケジュール情報を生成する生成工程と
をコンピュータに実行させるためのプログラム。
【発明の詳細な説明】
【技術分野】
【０００１】
本発明は、画像投影システム、情報処理装置、画像投影方法及びプログラムに関する。
【背景技術】
【０００２】
近年、プロジェクタなどの画像投影装置に動画像等のコンテンツを配信し、屋外や店頭、公共空間等に設置された大画面に、当該コンテンツを投影するデジタルサイネージが広く利用されている。デジタルサイネージの場合、時間や場所に適したコンテンツをリアルタイムに投影できるため、高い広告効果が期待できる。
【発明の概要】
【発明が解決しようとする課題】
【０００３】
一方で、上記のような画像投影装置を用いた大規模なデジタルサイネージを実現するためには、投影対象として一定程度の大きさの平坦面が必要となる。このため、画像投影装置を用いたデジタルサイネージの場合、予め大画面を設置しておくか、建物の側壁面等のような一体的な平面を利用する必要があり、実現可能な場所に限りがあるといった問題がある。
【０００４】
これに対して、例えば、建物（特に中高層ビル）の窓ガラス（光透過面）等のような複数の面を組み合わせて利用することで、大規模なデジタルサイネージを実現することが考えられる。このようなデジタルサイネージが実現できれば、デジタルサイネージの適用範囲を大きく広げることができる。
【０００５】
加えて、１つの建物を領域ごと、時間帯ごとにわけ、上記のようなデジタルサイネージを複数並行して実現できるスケジュールを組むことができれば、より多くの広告主を取り込むことが可能となる。
【０００６】
本発明は、上記課題に鑑みてなされたものであり、複数の面を組み合わせて利用するデジタルサイネージを実現するにあたり、適切なスケジュールを組むことができるようにすることを目的とする。
【課題を解決するための手段】
【０００７】
本発明の各実施形態に係る画像投影システムは、以下のような構成を有する。即ち、
複数の面が含まれる所定領域を分割し、複数の分割領域を生成する領域分割手段と、
前記複数の分割領域のうちの１の分割領域に含まれる複数の面の位置及び大きさに基づいて、該１の分割領域に対応する１の画像を複数の分割画像に分割する画像分割手段と、
前記１の分割領域に含まれる複数の面それぞれに対応する投影装置を介して、前記複数の分割画像を、前記１の分割領域に含まれる複数の面に対応する投影面それぞれに投影するためのスケジュールを入力する入力手段と、
前記複数の分割画像それぞれについて、前記スケジュールに基づき前記投影装置を介して投影を行うための処理区間が、他のスケジュールに基づきいずれかの前記投影装置を介して投影を行うための処理区間と重複することがないように、前記スケジュールを組み込むことで、スケジュール情報を生成する生成手段とを有する。
【発明の効果】
【０００８】
本発明の各実施形態によれば、複数の面を組み合わせて利用するデジタルサイネージを実現するにあたり、適切なスケジュールを組むことができる。
【図面の簡単な説明】
【０００９】
【図１】画像投影システムの適用例を示す図である。
【図２】建物の各窓ガラスに対応する位置に配置された各サイネージ装置の動作を説明するための図である。
【図３】画像投影システムのシステム構成の一例を示す図である。
【図４】情報処理装置のハードウェア構成の一例を示す図である。
【図５】サイネージ対象情報の一例を示す図である。
【図６】動画像情報の一例を示す図である。
【図７】サイネージ処理の流れを示すフローチャートである。
【図８】分割領域生成処理及び割り当て処理を説明するための第１の図である。
【図９】分割領域生成処理及び割り当て処理を説明するための第２の図である。
【図１０】画像処理を説明するための図である。
【図１１】画像処理により生成された投影用動画像群を管理する投影用動画像情報の一例を示す図である。
【図１２】スケジュール生成画面の一例を示す第１の図である。
【図１３】スケジュール生成画面の一例を示す第２の図である。
【図１４】スケジュール生成処理の流れを示すフローチャートである。
【図１５】スケジュール情報の一例及び準備区間、終了区間の一例を示す図である。
【図１６】組み込み可否判定処理の流れを示すフローチャートである。
【図１７】組み込み可否判定処理を具体例を示す第１の図である。
【図１８】組み込み可否判定処理を具体例を示す第２の図である。
【発明を実施するための形態】
【００１０】
以下、各実施形態の詳細について添付の図面を参照しながら説明する。なお、各実施形態に係る明細書及び図面の記載に際して、実質的に同一の機能構成を有する構成要素については、同一の符号を付することにより重複した説明を省く。
【００１１】
［第１の実施形態］
＜１．画像投影システムの適用例＞
はじめに、第１の実施形態に係る画像投影システムの適用例について説明する。図１は、画像投影システムの適用例を示す図である。図１の例は、中層のビルである建物１１０の外面に取り付けられた複数の窓ガラス（光透過面）を組み合わせて利用することで、大規模なデジタルサイネージを複数並行して実現した様子を示している。
【００１２】
図１に示すように、建物１１０の道路側の外面の所定領域には、複数の窓ガラス（窓ガラス群１２０）が所定量の間隔をあけて取り付けられている（図１の例では、３０枚の窓ガラス）。第１の実施形態に係る画像投影システムでは、建物１１０の外面の所定領域に取り付けられた複数の窓ガラス（窓ガラス群１２０）のうち、上層階に配された窓ガラスそれぞれに対して、内側から投影用動画像群１３０に含まれる各投影用動画像を投影する。また、第１の実施形態に係る画像投影システムでは、建物１１０の外面の所定領域に取り付けられた複数の窓ガラス（窓ガラス群１２０）のうち、下層階に配された窓ガラスそれぞれに対して、内側から投影用動画像群１３１に含まれる各投影用動画像を投影する。
【００１３】
これにより、第１の実施形態に係る画像投影システムによれば、窓ガラス１５枚分を組み合わせて利用する、２種類の大規模なデジタルサイネージ（図１の例は、巨大なツリーと巨大な鳥がそれぞれ表示されたシーンを示している）を並行して実現することができる。また、第１の実施形態に係る画像投影システムによれば、これらのデジタルサイネージを、道路側の外面等の比較的目立つ場所において実現することができる。つまり、第１の実施形態に係る画像投影システムによれば、広告効果の高いデジタルサイネージを実現することができる。
【００１４】
また、第１の実施形態に係る画像投影システムによれば、従来のように、予め設置されている大画面や、窓ガラスのない建物の側壁面等を利用するデジタルサイネージと比較して、デジタルサイネージの適用範囲を大きく広げることができる。
【００１５】
更に、第１の実施形態に係る画像投影システムでは、窓ガラスに既に設置されている電飾装置群１４０の動作もあわせて制御する。これにより、第１の実施形態に係る画像投影システムによれば、投影用動画像群１３０、１３１の投影に応じて電飾装置群１４０を制御することが可能となり、より視覚効果の高いデジタルサイネージを実現することができる。
【００１６】
＜２．サイネージ装置の動作＞
次に、第１の実施形態に係る画像投影システムを構成する各サイネージ装置（本実施形態では、プロジェクタ（投影装置）、電動スクリーン（投影面）、電飾装置を指すものとする）の動作について説明する。
【００１７】
図２は、建物の各窓ガラスに対応する位置に配置された各サイネージ装置の動作を説明するための図である。図２（Ａ）の（ａ）〜（ｄ）は、建物１１０の各窓ガラスの内側に配置された各サイネージ装置のうち、プロジェクタ及び電動スクリーンの動作を示している。
【００１８】
図２（Ａ）の（ａ）に示すように、建物１１０の各窓ガラスの内側には、プロジェクタが上下に配置されており、１枚の窓ガラスに対して、２台のプロジェクタ（上側プロジェクタ及び下側プロジェクタ）を用いて投影用動画像の投影が行われる。これにより、窓ガラスの大きさが大きい場合でも適切な投影用動画像を投影することができる。
【００１９】
また、図２（Ａ）の（ｂ）に示すように、建物１１０の各窓ガラスの内側には、電動スクリーンが配置されている。プロジェクタを用いて投影用動画像を投影するにあたっては、電動スクリーンをＯＮ状態にすることで光透過度を変化させ、各窓ガラスを半透明の状態にする。なお、電動スクリーン（投影面）は、窓ガラス（投影対象）とともに光透過面を形成する。
【００２０】
図２（Ａ）の（ｃ）は、電動スクリーンをＯＮ状態にした後に、上側プロジェクタ及び下側プロジェクタのランプをＯＮ状態にした様子を示している。上側プロジェクタは、窓ガラスの上側を投影範囲とし、下側プロジェクタは、窓ガラスの下側を投影範囲としている。なお、上側プロジェクタ及び下側プロジェクタは、それぞれ投影範囲の一部が重複するように調整されている。つまり、本実施形態では、２台のプロジェクタにより、窓ガラスの大きさに応じた投影範囲への投影用動画像の投影を実現している。
【００２１】
図２（Ａ）の（ｄ）は、上側プロジェクタ及び下側プロジェクタにより、投影用動画像が投影された様子を示している。本実施形態に係る画像投影システムでは、窓ガラス群１２０に含まれる各窓ガラスのうち、上層階の各窓ガラスそれぞれに対応する各電動スクリーンに、投影用動画像群１３０に含まれる各投影用動画像が投影される。また、本実施形態に係る画像投影システムでは、窓ガラス群１２０に含まれる各窓ガラスのうち、下層階の各窓ガラスそれぞれに対応する各電動スクリーンに、投影用動画像群１３１に含まれる各投影用動画像が投影される。なお、各窓ガラスに対応する各電動スクリーンに対しては、各投影用動画像が更に上下に分割されて、２台のプロジェクタにより投影されることになる。
【００２２】
また、図２（Ｂ）に示すように、第１の実施形態に係る画像投影システムでは、投影用動画像群１３０、１３１の投影が終了した状態で、電飾装置群１４０がＯＮ状態になり、かつ電動スクリーンがＯＦＦ状態になるよう制御する。つまり、第１の実施形態に係る画像投影システムでは、上側プロジェクタ、下側プロジェクタ、電動スクリーン及び電飾装置群１４０が互いに連動して動作する。
【００２３】
＜３．画像投影システムのシステム構成＞
次に、第１の実施形態に係る画像投影システムのシステム構成について説明する。図３は、画像投影システムのシステム構成の一例を示す図である。図３に示すように、画像投影システム３００は、プロジェクタ３１０＿１ａ〜３１０＿３０ｂ、外部メモリ３２０＿１ａ〜３２０＿３０ｂ、電動スクリーン３３０＿１〜３３０＿３０、制御装置３４０、電飾装置１４０＿１〜１４０＿６を有する。また、画像投影システム３００は、時刻サーバ３６０、情報処理装置３７０を有する。
【００２４】
なお、プロジェクタ３１０＿１ａ〜３１０＿３０ｂ、制御装置３４０及び時刻サーバ３６０と、情報処理装置３７０とは、ネットワーク３９０を介して接続されている。
【００２５】
プロジェクタ３１０＿１ａ〜３１０＿３０ｂは、建物１１０の外面の所定領域に取り付けられた窓ガラス群１２０それぞれの内側において、上下に配置される。上述したとおり、建物１１０の外面の所定領域には、３０枚の窓ガラスが取り付けられているため、本実施形態では、６０台のプロジェクタが配置される。
【００２６】
プロジェクタ３１０＿１ａ〜３１０＿３０ｂは、情報処理装置３７０からの投影開始指示に基づいて、外部メモリ３２０＿１ａ〜３２０＿３０ｂにそれぞれ格納された投影用動画像の中から、指定された投影用動画像を読み出す。更に、プロジェクタ３１０＿１ａ〜３１０＿３０ｂは、それぞれが読み出した投影用動画像を、投影対象となる窓ガラスに対応する電動スクリーンに投影する。
【００２７】
外部メモリ３２０＿１ａ〜３２０＿３０ｂは、プロジェクタ３１０＿１ａ〜３１０＿３０ｂそれぞれに接続される。外部メモリ３２０＿１ａ〜３２０＿３０ｂは、プロジェクタ３１０＿１ａ〜３１０＿３０ｂそれぞれにより投影される投影用動画像を格納する。なお、ここでいう外部メモリ３２０＿１ａ〜３２０＿３０ｂには、例えば、ＵＳＢ（Universal Serial Bus）メモリ等が含まれる。
【００２８】
電動スクリーン３３０＿１〜３３０＿３０は、建物１１０の外面の所定領域に含まれる窓ガラス群１２０それぞれの内側に配置される。上述したとおり、建物１１０の外面の所定領域には、３０枚の窓ガラスが取り付けられているため、本実施形態では３０台の電動スクリーンが配置される。
【００２９】
電動スクリーン３３０＿１〜３３０＿３０は、電源ケーブルを介して制御装置３４０と接続され、制御装置３４０により、個別にＯＮ状態とＯＦＦ状態とが制御される。電動スクリーン３３０＿１〜３３０＿３０は、制御装置３４０によりＯＮ状態に制御されると、光透過面は光透過度が下がり、半透明の状態になる。一方、電動スクリーン３３０＿１〜３３０＿３０は、制御装置３４０によりＯＦＦ状態に制御されると、光透過面は光透過度が上がり、透明の状態になる。
【００３０】
制御装置３４０は、情報処理装置３７０からのスクリーンＯＮ指示に基づいて、電動スクリーン３３０＿１〜３３０＿３０をＯＮ状態にする。また、制御装置３４０は、情報処理装置３７０からのスクリーンＯＦＦ指示に基づいて、電動スクリーン３３０＿１〜３３０＿３０をＯＦＦ状態にする。
【００３１】
更に、制御装置３４０は、情報処理装置３７０からの電飾ＯＮ指示に基づいて、電飾装置１４０＿１〜１４０＿６をＯＮ状態にする。また、制御装置３４０は、情報処理装置３７０からの電飾ＯＦＦ指示に基づいて、電飾装置１４０＿１〜１４０＿６をＯＦＦ状態にする。
【００３２】
電飾装置１４０＿１〜１４０＿６は、電源ケーブルを介して制御装置３４０と接続され、制御装置３４０により、ＯＮ状態とＯＦＦ状態とが制御される。
【００３３】
時刻サーバ３６０は、プロジェクタ３１０＿１ａ〜３１０＿３０ｂと、情報処理装置３７０との間で、時刻を同期させるために、情報処理装置３７０に時刻情報を提供する。
【００３４】
情報処理装置３７０は、画像投影システム３００におけるサイネージ処理を制御するための装置である。情報処理装置３７０には、投影用動画像生成プログラム、スケジュール生成プログラム、サイネージ制御プログラムがインストールされている。情報処理装置３７０は、これらのプログラムを実行することで、投影用動画像生成部３７１、スケジュール生成部３７２、サイネージ制御部３７３として機能する。
【００３５】
投影用動画像生成部３７１は領域分割手段として機能し、窓ガラス群１２０が含まれる所定領域を分割することで、複数の分割領域を生成する。投影用動画像生成部３７１は、生成した複数の分割領域それぞれに、広告主から提供された元の動画像を割り当てる。
【００３６】
また、投影用動画像生成部３７１は画像分割手段として機能し、それぞれの分割領域に含まれる窓ガラスの大きさ及び位置に基づいて、割り当てた動画像を複数の分割画像に分割する画像処理を行い、投影用動画像群を生成する。
【００３７】
投影用動画像生成部３７１は、投影用動画像群の生成に際して、サイネージ対象情報格納部３７４に格納されたサイネージ対象情報及び動画像情報格納部３７５に格納された動画像情報を用いる。また、投影用動画像生成部３７１は、生成した投影用動画像群を、投影用動画像情報管理部３７６の投影用動画像情報に格納する。
【００３８】
なお、サイネージ対象とは、画像投影システム３００によりデジタルサイネージが実現される建物１１０を指す。サイネージ対象情報には、建物１１０の外面の所定領域に含まれる窓ガラス群１２０の各窓ガラスの位置、大きさ等の情報が含まれる。また、動画像情報には、広告主から提供された元の動画像の属性情報等が含まれる。更に、投影用動画像情報には、生成された投影用動画像群を管理するための情報が含まれる。なお、投影用動画像情報には、生成された投影用動画像群に含まれる各投影用動画像を示す識別子が、各投影用動画像を投影するプロジェクタを示す識別子と対応付けて格納される。
【００３９】
また、投影用動画像生成部３７１は、生成した投影用動画像群に含まれる各投影用動画像を、対応するプロジェクタ３１０＿１ａ〜３１０＿３０ｂそれぞれに送信する。プロジェクタ３１０＿１ａ〜３１０＿３０ｂでは、各投影用動画像を受信する外部メモリ３２０＿１ａ〜３２０＿３０ｂそれぞれに、受信した各投影用動画像を格納する。
【００４０】
スケジュール生成部３７２は入力手段として機能し、投影用動画像生成部３７１により生成された投影用動画像群を、対応する分割領域に含まれる各投影面に投影するためのスケジュールを生成するのに必要な情報を受け付ける。また、スケジュール生成部３７２は生成手段として機能し、受け付けた情報に基づいてスケジュールを生成する。更に、スケジュール生成部３７２は、生成した複数のスケジュールを曜日ごとにまとめて、スケジュール情報を生成し、スケジュール情報管理部３７７に格納する。
【００４１】
サイネージ制御部３７３は、スケジュール情報管理部３７７に格納されたスケジュール情報に基づいて、サイネージ制御処理を行う。具体的には、サイネージ制御部３７３は、投影開始時刻に応じて、プロジェクタ３１０＿１ａ〜３１０＿３０ｂそれぞれに、ランプＯＮ指示や投影開始指示を送信する。また、サイネージ制御部３７３は、投影開始時刻に応じて、電動スクリーン３３０＿１〜３３０＿３０にスクリーンＯＮ指示を送信する。更に、サイネージ制御部３７３は、投影開始時刻に応じて、電飾装置１４０＿１〜１４０＿６に電飾ＯＦＦ指示を送信する。
【００４２】
同様に、サイネージ制御部３７３は、投影終了時刻に応じて、プロジェクタ３１０＿１ａ〜３１０＿３０ｂそれぞれに、ランプＯＦＦ指示や投影終了指示を送信する。また、サイネージ制御部３７３は、投影終了時刻に応じて、電動スクリーン３３０＿１〜３３０＿３０にスクリーンＯＦＦ指示を送信する。更に、サイネージ制御部３７３は、投影終了時刻に応じて、電飾装置１４０＿１〜１４０＿６に電飾ＯＮ指示を送信する。
【００４３】
＜４．情報処理装置のハードウェア構成＞
次に、情報処理装置３７０のハードウェア構成について説明する。図４は、情報処理装置のハードウェア構成の一例を示す図である。
【００４４】
図４に示すように、情報処理装置３７０は、ＣＰＵ（Central Processing Unit）４０１、ＲＯＭ（Read Only Memory）４０２、ＲＡＭ（Random Access Memory）４０３を備える。ＣＰＵ４０１、ＲＯＭ４０２、ＲＡＭ４０３は、いわゆるコンピュータを形成する。更に、情報処理装置３７０は、補助記憶部４０４、表示部４０５、入力部４０６、ネットワークＩ／Ｆ（Interface）部４０７を備える。なお、情報処理装置３７０の各ハードウェアは、バス４１０を介して相互に接続されている。
【００４５】
ＣＰＵ４０１は、補助記憶部４０４に格納された各種プログラム（例えば、投影用動画像生成プログラム、スケジュール生成プログラム、サイネージ制御プログラム等）を実行するデバイスである。
【００４６】
ＲＯＭ４０２は不揮発性の主記憶デバイスである。ＲＯＭ４０２は、補助記憶部４０４に格納された各種プログラムを、ＣＰＵ４０１が実行するために必要な各種プログラム、データ等を格納する。具体的には、ＢＩＯＳ（Basic Input/Output System）やＥＦＩ（Extensible Firmware Interface）等のブートプログラムなどを格納する。
【００４７】
ＲＡＭ４０３は、ＤＲＡＭ（Dynamic Random Access Memory）やＳＲＡＭ（Static Random Access Memory）等の揮発性の主記憶デバイスである。ＲＡＭ４０３は、補助記憶部４０４に格納された各種プログラムがＣＰＵ４０１によって実行される際に展開される、作業領域を提供する。
【００４８】
補助記憶部４０４は、ＣＰＵ４０１により実行される各種プログラムや各種プログラムが実行される際に用いられる各種情報を格納する補助記憶デバイスである。補助記憶部４０４に格納される各種情報には、サイネージ対象情報、動画像情報、投影用動画像情報、スケジュール情報等が含まれる。なお、サイネージ対象情報格納部３７４、動画像情報格納部３７５、投影用動画像情報管理部３７６、スケジュール情報管理部３７７は、補助記憶部４０４により実現される。
【００４９】
表示部４０５は、各種画面を表示する表示デバイスである。入力部４０６は、情報処理装置３７０に各種情報を入力するための入力デバイスである。ネットワークＩ／Ｆ部４０７は、ネットワーク３９０と接続するためのインタフェースデバイスである。情報処理装置３７０は、プロジェクタ３１０＿１ａ〜３１０＿３０ｂ、制御装置３４０、時刻サーバ３６０との間で、ネットワークＩ／Ｆ部４０７を介して通信を行う。
【００５０】
＜５．各格納部に格納される情報＞
次に、情報処理装置３７０の各格納部（サイネージ対象情報格納部３７４、動画像情報格納部３７５）に格納される各種情報（サイネージ対象情報、動画像情報）について説明する。
【００５１】
（１）サイネージ対象情報
はじめに、サイネージ対象情報格納部３７４に格納されるサイネージ対象情報について説明する。図５は、サイネージ対象情報の一例を示す図である。図５（ａ）に示すように、サイネージ対象情報５００は、サイネージ対象ごとに生成される。本実施形態では、建物１１０のサイネージ対象ＩＤを、"Ｓ００１"としている。
【００５２】
また、図５（ａ）に示すように、サイネージ対象情報５００には、情報の項目として、"フロア"、"窓ＩＤ"、"窓情報"、"プロジェクタＩＤ"、"電動スクリーンＩＤ"、"電飾装置ＩＤ"が含まれる。
【００５３】
"フロア"には、建物１１０の外面の所定領域に含まれる窓ガラス群１２０が取り付けられているフロアのフロア番号が格納される。
【００５４】
"窓ＩＤ"には、建物１１０の外面の所定領域に含まれる窓ガラス群１２０の各窓ガラスを識別するための識別子が格納される。
【００５５】
"窓情報"には、"位置"、"横大きさ"、"縦大きさ"が含まれる。ここで、図５（ｂ）を参照しながら、"窓情報"に含まれる窓ガラスの"位置"、"横大きさ"、"縦大きさ"について説明する。
【００５６】
図５（ｂ）に示すように、画像投影システム３００では、建物１１０の外面の所定領域５１０を利用して、デジタルサイネージを実現する。このとき、画像投影システム３００では、所定領域５１０に含まれる各窓ガラスのレイアウトを特定するための基準となる点（原点）と、基準となる軸（ｘ軸、ｙ軸）とを規定する。
【００５７】
図５（ｂ）において、点５２０は、所定領域５１０における原点を示している。また、軸５３０は、所定領域５１０において点５２０を原点とした場合のｘ軸を示しており、軸５４０は、所定領域５１０において点５２０を原点とした場合のｙ軸を示している。
【００５８】
所定領域５１０、原点５２０、ｘ軸５３０、ｙ軸５４０を、図５（ｂ）に示すように規定することで、各窓ガラスのレイアウト（位置、横大きさ、縦大きさ）を一意に特定することができる。
【００５９】
図５（ａ）の説明に戻る。"位置"には、建物１１０の外面の所定領域５１０において、各窓ガラスの左下の角の位置を示す座標が格納される。図５（ａ）の場合、窓ＩＤ＝"Ｗ２０１"の窓ガラスの左下の角の位置の座標は、原点（０，０）である。
【００６０】
"横大きさ"には、各窓ガラスの横方向の長さ（幅）が格納される。例えば、窓ＩＤ＝"Ｗ２０１"の窓ガラスの場合、左下の角の位置の座標が（０，０）であり、右下の角の位置の座標が（ｘ１２，０）である。したがって、横大きさ＝"ｘ１２"となる。また、窓ＩＤ＝"Ｗ２０２"の窓ガラスの場合、左下の角の位置の座標が（ｘ２１，０）であり、右下の角の位置の座標が（ｘ２２，０）である。したがって、横大きさ＝"ｘ２２−ｘ２１"となる。
【００６１】
"縦大きさ"には、各窓ガラスの縦方向の長さ（高さ）が格納される。例えば、窓ＩＤ＝"Ｗ２０１"の窓ガラスの場合、左下の角の位置の座標が（０，０）であり、左上の角の位置の座標が（０，ｙ１２）である。したがって、縦大きさ＝"ｙ１２"となる。また、窓ＩＤ＝"Ｗ３０１"の窓ガラスの場合、左下の角の位置の座標が（０，ｙ２１）であり、左上の角の位置の座標が（０，ｙ２２）である。したがって、縦大きさ＝"ｙ２２−ｙ２１"となる。
【００６２】
"プロジェクタＩＤ"には、各窓ガラスに対応する位置に配置されたプロジェクタを識別するための識別子が格納される。図５（ａ）の例は、窓ＩＤ＝"Ｗ２０１"により識別される窓ガラスに対応する位置に、プロジェクタＩＤ＝"ＰＪ２０１Ａ"、"ＰＪ２０１Ｂ"により識別されるプロジェクタが配置されていることを示している。
【００６３】
"電動スクリーンＩＤ"には、各窓ガラスに対応する位置に配置された電動スクリーンを識別するための識別子が格納される。図５（ａ）の例は、窓ＩＤ＝"Ｗ２０１"により識別される窓ガラスに対応する位置に、電動スクリーンＩＤ＝"ＳＣ２０１"により識別される電動スクリーンが配置されていることを示している。
【００６４】
"電飾装置ＩＤ"には、各フロアのいずれかの窓ガラスに対応する位置に配置された電飾装置を識別するための識別子が格納される。図５（ａ）の例は、フロア＝"２Ｆ"により識別されるフロアに、電飾装置ＩＤ＝"Ｅ２００"により識別される電飾装置が配置されていることを示している。
【００６５】
（２）動画像情報
次に、動画像情報格納部３７５に格納される動画像情報について説明する。図６は、動画像情報の一例を示す図である。動画像情報６００は、広告主から提供される元の動画像の属性情報等を格納する。
【００６６】
図６に示すように、動画像情報６００には、情報の項目として、"広告主"、"動画像ＩＤ"、"アスペクト比"、"再生時間"が含まれる。
【００６７】
"広告主"には、デジタルサイネージの利用を希望する広告主の名前が格納される。"動画像ＩＤ"には、広告主から提供される元の動画像を識別するための識別子が格納される。
【００６８】
"アスペクト比"には、広告主から提供される元の動画像のアスペクト比が格納される。"再生時間"には、広告主から提供される元の動画像の再生時間が格納される。
【００６９】
＜６．画像投影システムにおけるサイネージ処理の流れ＞
次に、画像投影システム３００におけるサイネージ処理の流れについて説明する。図７は、サイネージ処理の流れを示すフローチャートである。建物１１０において、画像投影システム３００の設置が完了し、プロジェクタ３１０＿１ａ〜３１０＿３０ｂに関して、各種校正処理が行われた後、画像投影システム３００では、図７に示すサイネージ処理を実行する。
【００７０】
具体的には、ステップＳ７０１において、情報処理装置３７０の投影用動画像生成部３７１は、複数の分割領域を生成する。
【００７１】
ステップＳ７０２において、情報処理装置３７０の投影用動画像生成部３７１は、生成した複数の分割領域それぞれに、広告主より提供される元の動画像の動画像ＩＤを割り当てる割り当て処理を行う。
【００７２】
ステップＳ７０３において、情報処理装置３７０の投影用動画像生成部３７１は、割り当て処理による割り当て結果に応じて、画像処理を行う。具体的に、割り当てられた分割領域に含まれる各窓ガラスの位置及び大きさに基づいて、割り当てた動画像ＩＤにより特定される動画像を分割し、投影用動画像群を生成する。また、情報処理装置３７０の投影用動画像生成部３７１は、分割領域に含まれる各窓ガラスに対応する各プロジェクタに、生成した投影用動画像群に含まれる各投影用動画像を送信する。
【００７３】
ステップＳ７０４において、情報処理装置３７０のスケジュール生成部３７２は、投影用動画像生成部３７１により生成された投影用動画像群を、対応する分割領域に含まれる各投影面に投影するためのスケジュールを生成する。また、情報処理装置３７０のスケジュール生成部３７２は、生成した複数のスケジュールを曜日ごとにまとめて、スケジュール情報を生成し、スケジュール情報管理部３７７に格納する。
【００７４】
ステップＳ７０５において、情報処理装置３７０のサイネージ制御部３７３は、サイネージ制御処理を行う。具体的には、情報処理装置３７０のサイネージ制御部３７３は、スケジュール情報に基づいて、プロジェクタ３１０＿１ａ〜３１０＿３０ｂによる各投影用動画像の投影制御を行う。また、情報処理装置３７０のサイネージ制御部３７３は、スケジュール情報に基づいて、電動スクリーン３３０＿１〜３３０＿３０によるＯＮ／ＯＦＦ制御、電飾装置１４０＿１〜１４０＿６によるＯＮ／ＯＦＦ制御を行う。
【００７５】
以下、図７に示すサイネージ処理に含まれる各処理（ステップＳ７０１〜Ｓ７０５）の詳細について説明する。
【００７６】
＜７．分割領域生成処理及び割り当て処理の詳細＞
はじめに、投影用動画像生成部３７１による分割領域生成処理（ステップＳ７０１）及び割り当て処理（ステップＳ７０２）の詳細について説明する。
【００７７】
図８及び図９は、分割領域生成処理及び割り当て処理を説明するための第１及び第２の図である。
【００７８】
図８（ａ）は、建物１１０の所定領域全体（「全体領域」と称す）に、動画像ＩＤ＝コンテンツ１００を割り当てた様子を示している。同様に、図８（ｂ）は、建物１１０の全体領域に、動画像ＩＤ＝コンテンツ２００を割り当てた様子を示している。
【００７９】
このように、本実施形態では、建物１１０の全体領域を割り当て対象とすることができる。また、本実施形態では、同じ割り当て対象（全体領域）に、異なる動画像ＩＤを割り当てることができる（図８（ａ）と（ｂ）参照）。
【００８０】
図８（ｃ）は、建物１１０の分割領域１に、動画像ＩＤ＝コンテンツ３００を割り当てた様子を示している。分割領域１は、建物１１０の所定領域のうち、上層階（５Ｆ〜７Ｆ）に取り付けられた窓ガラスを含む領域を分割することで生成される。一方、図８（ｄ）、（ｅ）は、建物１１０の分割領域２に、動画像ＩＤ＝コンテンツ４００、５００を割り当てた様子を示している。分割領域２は、建物１１０の所定領域のうち、下層階（２Ｆ〜４Ｆ）に取り付けられた窓ガラスを含む領域を分割することで生成される。
【００８１】
このように、互いに重複しない領域を分割領域とし、それぞれの分割領域に異なる動画像ＩＤを割り当てることで、同じ投影時間帯において、２種類の投影用動画像群を並行して投影することができる（図８（ｃ）と（ｄ）または図８（ｃ）と（ｅ）参照）。また、図８（ａ）、（ｂ）と同様、同じ割り当て対象（分割領域２）に、異なる動画像ＩＤを割り当てることができる（図８（ｄ）と（ｅ）参照）。
【００８２】
図９（ａ）は、建物１１０の分割領域３に、動画像ＩＤ＝コンテンツ６００を割り当てた様子を示している。分割領域３は、建物１１０の所定領域のうち、６Ｆ〜７Ｆに取り付けられた窓ガラスを含む領域を分割することで生成される。また、図９（ｂ）は、建物１１０の分割領域４に、動画像ＩＤ＝コンテンツ７００を割り当てた様子を示している。分割領域４は、建物１１０の所定領域のうち、２Ｆ〜５Ｆに取り付けられた窓ガラスを含む領域を分割することで生成される。
【００８３】
このように、本実施形態では、建物１１０の所定領域を、アスペクト比の異なる分割領域に分割し、対応するアスペクト比を有する動画像の動画像ＩＤを割り当てることができる。これにより、様々なアスペクト比を有する動画像に対応したデジタルサイネージを実現することができる。
【００８４】
図９（ｃ）は、建物１１０の分割領域５に、動画像ＩＤ＝コンテンツ８００を割り当てた様子を示している。分割領域５は、建物１１０の所定領域のうち、４Ｆ〜７Ｆに取り付けられた窓ガラスを含む領域を分割することで生成される。また、図９（ｄ）は、建物１１０の分割領域６に、動画像ＩＤ＝コンテンツ９００を割り当てた様子を示している。分割領域６は、建物１１０の所定領域のうち、２Ｆ〜３Ｆに取り付けられた窓ガラスを含む領域を分割することで生成される。
【００８５】
なお、分割領域３（図９（ａ））と分割領域６（図９（ｄ））とは、領域の位置は異なるが領域の大きさ及びアスペクト比は同じである。同様に、分割領域４（図９（ｂ））と分割領域５（図９（ｃ））とは、領域の位置は異なるが領域の大きさ及びアスペクト比は同じである。
【００８６】
このように、本実施形態では、建物１１０の所定領域の任意の位置に、任意の大きさの分割領域を生成し、当該位置及び大きさに応じた動画像の動画像ＩＤを割り当てることができる。
【００８７】
＜８．画像処理の詳細＞
次に、投影用動画像生成部３７１による画像処理（ステップＳ７０３）の詳細について説明する。ここでは、一例として、建物１１０の分割領域２に割り当てられた、動画像ＩＤ＝コンテンツ４００の動画像を分割し、投影用動画像群を生成する場合について説明する。
【００８８】
図１０は、画像処理を説明するための図である。図１０において、静止画像１０００は、動画像ＩＤ＝コンテンツ４００の動画像をデコード処理し、フレーム単位に分解することで抽出された静止画像群のうちの１つである。
【００８９】
投影用動画像生成部３７１は、サイネージ対象情報５００を参照することで、分割領域２に含まれる各窓ガラスの位置及び大きさを取得する（図１０（ａ）参照）。また、投影用動画像生成部３７１は、取得した各窓ガラスの位置及び大きさに基づいて、静止画像１０００に対して画像処理を行い、複数の分割静止画像１００１、１００２、・・・１０１５を生成する。
【００９０】
ここで、静止画像１０００が、横４０００画素、縦３０００画素で構成されているものとすると、図１０（ｂ）に示すように、分割静止画像１００１の右下の画素のｘ座標は、（ｘ１２／ｘ５２）×４０００により算出される。また、分割静止画像１００１の左上の画素のｙ座標は、（ｙ１２／ｙ３２）×３０００により算出される。
【００９１】
同様に、分割静止画像１００２の左下の画素のｘ座標は、（ｘ２１／ｘ５２）×４０００により算出され、分割静止画像１００２の右下の画素のｘ座標は、（ｘ２２／ｘ５２）×４０００により算出される。また、分割静止画像１００２の左上の画素のｙ座標は、（ｙ１２／ｙ３２）×３０００により算出される。
【００９２】
投影用動画像生成部３７１は、動画像より抽出した静止画像群それぞれについて、複数の分割静止画像１００１〜１０１５を生成する。また、投影用動画像生成部３７１は、生成した複数の分割静止画像１００１〜１０１５を、同じ窓ガラスの分割静止画像ごとに分けることで、複数の分割静止画像群を生成する。
【００９３】
また、投影用動画像生成部３７１は、窓ガラス単位で生成した複数の分割静止画像群それぞれを、プロジェクタ単位に分割する。更に、投影用動画像生成部３７１は、プロジェクタ単位に分割した複数の分割静止画像群を、プロジェクタ単位でエンコード処理し、複数の投影用動画像（投影用動画像群）を生成する。
【００９４】
投影用動画像生成部３７１は、それぞれの分割領域に割り当てられた動画像ＩＤの動画像それぞれについて、上記のような画像処理を行うことで、分割領域ごとに投影用動画像群を生成し、投影用動画像情報管理部３７６の投影用動画像情報に格納する。
【００９５】
図１１は、画像処理により生成された投影用動画像群を管理するための投影用動画像情報の一例を示す図である。図１１に示すように、投影用動画像情報管理部３７６の投影用動画像情報１１００には、情報の項目として、"分割領域"、"動画像ＩＤ"、"窓ＩＤ"、"プロジェクタＩＤ"、"投影用動画像ＩＤ"が含まれる。
【００９６】
"分割領域"には、所定領域５１０を分割することで生成される各分割領域の名称が格納される。図１１の例は、所定領域５１０が分割され、分割領域１〜分割領域６が生成されたことを示している。なお、"分割領域"に格納される分割領域の名称は、"窓ＩＤ"と対応付けて格納される。つまり、投影用動画像情報１１００を参照することで、生成された各分割領域に含まれる各窓ガラスを特定することができる。
【００９７】
"動画像ＩＤ"には、広告主から提供される元の動画像を識別するための識別子（動画像ＩＤ）が、割り当てられた分割領域と対応付けて格納される。図１１の例は、動画像情報６００に含まれる動画像ＩＤのうち、動画像ＩＤ＝コンテンツ１００、コンテンツ２００が、所定領域５１０全体に割り当てられたことを示している。また、動画像ＩＤ＝コンテンツ３００〜９００が、分割領域１〜分割領域６に割り当てられたことを示している。
【００９８】
"窓ＩＤ"には、建物１１０の外面の所定領域５１０に含まれる窓ガラス群１２０の各窓ガラスを識別するための識別子が格納される。
【００９９】
"プロジェクタＩＤ"には、窓ＩＤにより識別される窓ガラスに対応する位置に配置されたプロジェクタを識別するための識別子が格納される。
【０１００】
"投影用動画像ＩＤ"には、動画像ＩＤ＝コンテンツ１００〜９００それぞれの動画像から生成された、投影用動画像群に含まれる各投影用動画像を識別するための識別子が格納される。
【０１０１】
図１１の例は、動画像ＩＤ＝コンテンツ４００の動画像から、投影用動画像ＩＤ＝"Ｍ２０１Ａ"、"Ｍ２０１Ｂ"、・・・"Ｍ４０５Ｂ"の各投影用動画像が生成されたことを示している。
【０１０２】
また、図１１の例は、投影用動画像ＩＤ＝"Ｍ２０１Ａ"の投影用動画像は、窓ＩＤ＝"Ｗ２０１"の窓ガラスに対応する位置に配置されたプロジェクタＩＤ＝"ＰＪ２０１Ａ"のプロジェクタにより投影されることを示している。以下、同様に、投影用動画像ＩＤ＝"Ｍ２０１Ｂ"〜Ｍ４０５Ｂ"の投影用動画像は、それぞれ、プロジェクタＩＤ＝"ＰＪ２０１Ｂ"〜"ＰＪ４０５Ｂ"のプロジェクタにより投影されることを示している。
【０１０３】
＜９．スケジュール生成処理の詳細＞
次に、スケジュール生成部３７２によるスケジュール生成処理（ステップＳ７０４）の詳細について説明する。
【０１０４】
（１）スケジュール生成画面の説明
はじめに、スケジュール生成処理において表示部４０５に表示されるスケジュール生成画面について説明する。図１２及び図１３は、スケジュール生成画面の一例を示す第１及び第２の図である。
【０１０５】
図１２及び図１３に示すように、スケジュール生成画面１２００には、登録するスケジュールの名前を入力する名前入力欄１２０１と、投影時間帯を入力する投影時間帯入力欄１２１０とが含まれる。
【０１０６】
投影時間帯入力欄１２１０には、更に、投影用動画像群の投影を開始する投影開始時刻及び投影用動画像群の投影を終了する投影終了時刻を入力する時刻入力欄１２１１と、投影用動画像群の投影を行う曜日を入力する曜日入力欄１２１２とが含まれる。
【０１０７】
投影用動画像群の投影は、曜日入力欄１２１２に入力された曜日であって、時刻入力欄１２１１に入力された投影時間帯において行われる。図１２（ａ）の例は、毎週日曜日の１８時００分から１９時００分の投影時間帯に、投影用動画像群の投影を行うようにスケジュールを入力したことを示している。
【０１０８】
また、スケジュール生成画面１２００には、領域割り当て欄１２２０と、動画像ＩＤ表示欄１２３０とが含まれる。
【０１０９】
動画像ＩＤ表示欄１２３０には、動画像情報６００に格納された動画像ＩＤが表示される。動画像ＩＤ表示欄１２３０に表示された動画像ＩＤのうち、いずれかの動画像ＩＤを選択して"設定"ボタン１２３１を押圧すると、選択された動画像ＩＤが割り当てられた分割領域を示す画像が、動画像ＩＤとともに領域割り当て欄１２２０に重畳される。一方、"戻る"ボタン１２３２を押圧すると、領域割り当て欄１２２０に重畳された画像が削除される。
【０１１０】
図１２（ｂ）は、動画像ＩＤ表示欄１２３０において、動画像ＩＤ＝コンテンツ１００が選択され、"設定"ボタン１２３１が押圧された様子を示している。図８（ａ）に示したように、動画像ＩＤ＝コンテンツ１００は、全体領域を割り当て対象としているため、領域割り当て欄１２２０には、全体領域を示す画像が、動画像ＩＤとともに重畳される。
【０１１１】
また、スケジュール生成画面１２００には、"登録"ボタン１２４１と、"終了"ボタン１２４２とが含まれる。
【０１１２】
"登録"ボタン１２４１が押圧されると、後述する組み込み可否判定処理が行われる。組み込み可否判定処理の結果、組み込み可能と判定されると、スケジュール生成画面１２００において入力されたスケジュール（名前、投影時間帯、曜日、分割領域、動画像ＩＤ）が、スケジュール情報管理部３７７の当該曜日のスケジュール情報に組み込まれる。一方、組み込み可否判定処理の結果、組み込み可能でないと判定されると、所定のエラーメッセージが表示され、スケジュール生成画面１２００において入力されたスケジュール（名前、投影時間帯、曜日、分割領域、動画像ＩＤ）についての変更が促される。
【０１１３】
一方、"終了"ボタン１２４２が押圧されると、スケジュール生成画面１２００において入力されたスケジュールが、スケジュール情報に組み込まれることなく、スケジュール生成処理が終了する。
【０１１４】
図１３（ａ）の例は、毎週日曜日の２０時００分から２１時００分の投影時間帯に、投影用動画像群の投影を行うようにスケジュールを入力したことを示している。また、図１３（ａ）の例は、動画像ＩＤ表示欄１２３０において、動画像ＩＤ＝コンテンツ３００が選択され、"設定"ボタン１２３１が押圧された様子を示している。図８（ｃ）に示したように、動画像ＩＤ＝コンテンツ３００は、分割領域１を割り当て対象としているため、領域割り当て欄１２２０には、分割領域１を示す画像が、動画像ＩＤとともに重畳される。
【０１１５】
また、図１３（ｂ）の例は、更に、動画像ＩＤ＝コンテンツ４００が選択され、"設定"ボタン１２３１が押圧された様子を示している。図８（ｄ）に示したように、動画像ＩＤ＝コンテンツ４００は、分割領域２を割り当て対象としているため、領域割り当て欄１２２０には、分割領域２を示す画像が、動画像ＩＤとともに重畳される。
【０１１６】
なお、図１３（ｂ）の場合、後に選択された動画像ＩＤが割り当てられている分割領域（ここでは分割領域２）が、先に選択された動画像ＩＤが割り当てられている分割領域（ここでは分割領域１）と、重なっていない。このため、図１３（ｂ）の場合、後に選択された動画像ＩＤが割り当てられている分割領域（ここでは分割領域２）を示す画像が、動画像ＩＤとともに領域割り当て欄１２２０に重畳される。
【０１１７】
一方、後に選択された動画像ＩＤが割り当てられている分割領域が、先に選択された動画像ＩＤが割り当てられている分割領域と、重なっていたとする。この場合、所定のエラーメッセージが表示され、他の動画像ＩＤの選択が促されることになる。
【０１１８】
なお、図１３においても、"登録"ボタン１２４１、"終了"ボタン１２４２が押圧された場合の動作は、図１２（ｂ）を用いて説明した動作と同様である。
【０１１９】
（２）スケジュール生成処理の流れ
続いて、スケジュール生成処理の流れを図１４を用いて説明する。図１４は、スケジュール生成処理の流れを示すフローチャートである。投影用動画像生成部３７１による画像処理（ステップＳ７０３）が完了すると、図１４に示すスケジュール生成処理が開始される。
【０１２０】
ステップＳ１４０１において、スケジュール生成部３７２は、スケジュール生成画面１２００を表示する。
【０１２１】
ステップＳ１４０２において、スケジュール生成部３７２は、名前入力欄１２０１への入力を受け付ける。また、スケジュール生成部３７２は、時刻入力欄１２１１、曜日入力欄１２１２への入力を受け付ける。
【０１２２】
ステップＳ１４０３において、スケジュール生成部３７２は、動画像ＩＤの選択を受け付ける。また、スケジュール生成部３７２は、"設定"ボタン１２３１が押圧された場合、設定指示を受け付ける。更に、スケジュール生成部３７２は、"登録"ボタン１２４１が押圧された場合、登録指示を受け付ける。
【０１２３】
ステップＳ１４０４において、スケジュール生成部３７２は、入力されたスケジュールのスケジュール情報への組み込みが可能か否かを判定する組み込み可否判定処理を行う。
【０１２４】
ステップＳ１４０４における組み込み可否判定処理の結果、組み込み可能でないと判定した場合には、ステップＳ１４０５からステップＳ１４０６に進む。
【０１２５】
ステップＳ１４０６において、スケジュール生成部３７２は、スケジュール生成画面１２００においてエラーメッセージを表示する。
【０１２６】
一方、ステップＳ１４０５における組み込み可否判定処理の結果、組み込み可能であると判定した場合には、ステップＳ１４０５からステップＳ１４０７に進む。
【０１２７】
ステップＳ１４０７において、スケジュール生成部３７２は、入力されたスケジュール（名前、投影時間帯、曜日、分割領域、動画像ＩＤ）を、スケジュール情報管理部３７７に格納された当該曜日のスケジュール情報に組み込む。
【０１２８】
ステップＳ１４０８において、スケジュール生成部３７２は、スケジュール生成処理の終了指示を受け付けたか否かを判定する。"終了"ボタン１２４２が押圧されていない場合には（ステップＳ１４０８においてＮｏの場合には）、終了指示を受け付けていないと判定し、ステップＳ１４０２に戻る。一方、"終了"ボタン１２４２が押圧された場合には（ステップＳ１４０８においてＹｅｓの場合には）、終了指示を受け付けたと判定し、スケジュール生成処理を終了する。
【０１２９】
（３）スケジュール情報
次に、スケジュール生成処理において入力されたスケジュールが組み込まれることで生成されたスケジュール情報について説明する。図１５は、スケジュール情報の一例、及び、準備区間、終了区間の一例を示す図である。図１５（ａ）に示すように、スケジュール情報１５００には、情報の項目として、"時刻"、"領域"が含まれる。
【０１３０】
"時刻"には、建物１１０において、デジタルサイネージを実行可能な時間帯が記載される。図１５（ａ）の例は、１０時００分から２２時００分までの間の時間帯において、デジタルサイネージが実行可能であることを示している。
【０１３１】
"領域"には、スケジュール情報１５００に組み込まれた各スケジュールにおいて選択された動画像ＩＤが割り当てられた領域が記載される。図１５（ａ）の例は、スケジュールＡにおいて、全体領域に割り当てられた動画像ＩＤ＝コンテンツ１００が選択されたことを示している。また、図１５（ａ）の例は、スケジュールＢにおいて、分割領域１に割り当てられた動画像ＩＤ＝コンテンツ３００が選択され、分割領域２に割り当てられた動画像ＩＤ＝コンテンツ４００が選択されたことを示している。
【０１３２】
また、図１５（ａ）の例は、動画像ＩＤ＝コンテンツ１００に基づいて生成された投影用動画像群の投影が、１８時００分に開始され１９時００分に終了することを示している。また、動画像ＩＤ＝コンテンツ３００、４００に基づいて生成された投影用動画像群の投影が、それぞれ２０時００分に開始され２１時００分に終了することを示している。
【０１３３】
なお、本実施形態における画像投影システム３００では、サイネージ装置が投影用動画像群の投影を行うための各種処理を行う「処理区間」が設定されているものとする。処理区間には、投影用動画像群を投影する準備のための処理区間である「準備区間」と、投影用動画像群の投影を終了するための処理区間である「終了区間」とが含まれる。
【０１３４】
図１５（ａ）において、投影開始時刻の直前の時間帯１５１０は準備区間を示している。また、図１５（ａ）において、投影終了時刻の直前の時間帯１５２０は終了区間を示している。
【０１３５】
図１５（ｂ）は、準備区間における各サイネージ装置の処理内容の詳細を示した図である。図１５（ｂ）の例によれば、投影開始時刻の９０秒前に、動画像ＩＤが割り当てられた領域に含まれる各窓ガラスに対応するプロジェクタに対して、ランプＯＮ指示１５１１が送信される。これにより、対応するプロジェクタのランプがＯＮ状態になる。なお、本実施形態において、プロジェクタのランプは、ランプＯＮ指示が送信されてから、ＯＮ状態が安定するまでに、９０秒程度かかるものとする。
【０１３６】
また、図１５（ｂ）の例によれば、投影開始時刻の３０秒前に、動画像ＩＤが割り当てられた領域に含まれる各窓ガラスに対応するプロジェクタに対して、投影開始指示１５１２が送信される。これにより、対応するプロジェクタでは、投影開始時刻に投影を開始することができる。
【０１３７】
また、図１５（ｂ）の例によれば、投影開始時刻の２０秒前に、電飾装置１４０＿１〜１４０＿６に対して、電飾ＯＦＦ指示１５１３が送信される。電飾ＯＦＦ指示は、電飾装置１４０＿１〜１４０＿６に対して、一斉に送信されてもよいし、順次送信されてもよい。いずれの場合も、投影開始時刻の時点では、全ての電飾装置１４０＿１〜１４０＿６がＯＦＦ状態になっているものとする。
【０１３８】
更に、図１５（ｂ）の例によれば、投影開始時刻の１０秒前に、動画像ＩＤが割り当てられた領域に含まれる各窓ガラスに対応する電動スクリーンに対して、スクリーンＯＮ指示１５１４が送信される。これにより、投影開始時刻の時点では、対応する電動スクリーンがＯＮ状態になる。
【０１３９】
図１５（ｃ）は、終了区間における各サイネージ装置の処理内容の詳細を示した図である。図１５（ｃ）の例によれば、投影終了時刻の２０秒前に、動画像ＩＤが割り当てられた領域に含まれる各窓ガラスに対応する電動スクリーンに対して、スクリーンＯＦＦ指示１５２１が送信される。これにより、対応する電動スクリーンを、投影終了時刻までにＯＦＦ状態にすることができる。
【０１４０】
また、図１５（ｃ）の例によれば、投影終了時刻の１０秒前に、電飾装置１４０＿１〜１４０＿６に対して、電飾ＯＮ指示１５２２が送信される。電飾ＯＮ指示は、電飾装置１４０＿１〜１４０＿６に対して、一斉に送信されてもよいし、順次送信されてもよい。いずれの場合も、投影終了時刻の時点では、全ての電飾装置１４０＿１〜１４０＿６がＯＮ状態になっているものとする。
【０１４１】
更に、図１５（ｃ）の例によれば、投影終了時刻の２０秒前に、動画像ＩＤが割り当てられた領域に含まれる各窓ガラスに対応するプロジェクタに対して、投影終了指示１５２３が送信される。これにより、対応するプロジェクタでは、投影終了時刻に投影を終了させることができる。
【０１４２】
更に、図１５（ｃ）の例によれば、投影終了時刻の２０秒前に、動画像ＩＤが割り当てられた領域に含まれる各窓ガラスに対応するプロジェクタに対して、ランプＯＦＦ指示が送信される。これにより、対応するプロジェクタでは、投影終了時刻の時点で、ランプをＯＦＦ状態にすることができる。
【０１４３】
（４）組み込み可否判定処理の流れ
次に、スケジュール生成処理（図１４）に含まれる組み込み可否判定処理（ステップＳ１４０４）の詳細について説明する。図１６は、組み込み可否判定処理の流れを示すフローチャートである。
【０１４４】
ステップＳ１６０１において、スケジュール生成部３７２は、登録指示が受け付けると、表示中のスケジュール生成画面１２００の曜日入力欄１２１２に入力されている曜日と同じ曜日のスケジュール情報を、スケジュール情報管理部３７７より読み出す。
【０１４５】
ステップＳ１６０２において、スケジュール生成部３７２は、表示中のスケジュール生成画面１２００において、動画像ＩＤが割り当てられている分割領域及び時刻入力欄１２１１に入力されている投影開始時刻、投影終了時刻を識別する。
【０１４６】
ステップＳ１６０３において、スケジュール生成部３７２は第１の判定手段として機能する。具体的には、スケジュール生成部３７２は、識別した投影開始時刻から起算した準備区間が、ステップＳ１６０１において読み出したスケジュール情報に組み込まれた他のスケジュールの終了区間と重複するか否かを判定する。
【０１４７】
ステップＳ１６０３において、準備区間がスケジュール情報に組み込まれた他のスケジュールの終了区間と重複すると判定した場合には（ステップＳ１６０３においてＹｅｓの場合には）、ステップＳ１６０６に進む。ステップＳ１６０６において、スケジュール生成部３７２は、表示中のスケジュール生成画面１２００に入力されているスケジュールでは、投影開始時刻前に充分な準備区間を確保することができない（組み込み不可）と判定する。
【０１４８】
一方、ステップＳ１６０３において、準備区間がスケジュール情報に組み込まれた他のスケジュールの終了区間と重複しないと判定した場合には（ステップＳ１６０３においてＮｏの場合には）、ステップＳ１６０４に進む。
【０１４９】
ステップＳ１６０４において、スケジュール生成部３７２は第２の判定手段として機能する。具体的には、スケジュール生成部３７２は、識別した投影終了時刻から起算した終了区間が、ステップＳ１６０１において読み出したスケジュール情報に組み込まれた他のスケジュールの準備区間と重複するか否かを判定する。
【０１５０】
ステップＳ１６０４において、終了区間がスケジュール情報に組み込まれた他のスケジュールの準備区間と重複すると判定した場合には（ステップＳ１６０４においてＹｅｓの場合には）、ステップＳ１６０６に進む。ステップＳ１６０６において、スケジュール生成部３７２は、表示中のスケジュール生成画面１２００に入力されているスケジュールでは、投影終了時刻後に、他のスケジュールが、充分な準備区間を確保できない（組み込み不可）と判定する。
【０１５１】
一方、ステップＳ１６０４において、終了区間がスケジュール情報に組み込まれた他のスケジュールの準備区間と重複しないと判定した場合には（ステップＳ１６０４においてＮｏの場合には）、ステップＳ１６０５に進む。
【０１５２】
ステップＳ１６０５において、スケジュール生成部３７２は、表示中のスケジュール生成画面１２００に入力されているスケジュールによれば、充分な準備区間を確保することができる（組み込み可能）と判定する。
【０１５３】
このように、スケジュール生成部３７２が組み込み可否判定処理を実行することで、他のスケジュールの処理区間と重複した処理区間を有するスケジュールが、スケジュール情報に組み込まれることを回避することができる。換言すると、スケジュール生成部３７２によれば、他のスケジュールと処理区間が重複することがないように、スケジュールを組み込むことができる。
【０１５４】
（５）準備区間を確保することができない例
次に、組み込み可否判定処理（図１６）のステップＳ１６０６において、充分な準備区間を確保することができない（組み込み不可）と判定される具体的なケースについて説明する。図１７及び図１８は、組み込み可否判定処理の具体例を示す第１及び第２の図である。図１７、図１８において、紙面左側に示す図は、表示中のスケジュール生成画面１２００において、選択された動画像ＩＤが割り当てられた分割領域を示している。また、図１７、図１８において、紙面右側に示す図は、表示中のスケジュール生成画面１２００において、選択された動画像ＩＤが割り当てられた分割領域における投影時間帯と、他のスケジュールの投影時間帯とを、横軸を時間として模式的に示したものである。
【０１５５】
図１７（ａ）の例は、スケジュール生成画面１２００において所定の投影時間帯を入力して動画像ＩＤ＝コンテンツ２００を選択した場合に、その準備区間が、動画像ＩＤ＝コンテンツ１００が選択された他のスケジュールの終了区間と重複したことを示している。このような場合、スケジュール生成部３７２は、充分な準備区間を確保することができないと判定し、エラーメッセージを出力する。このように、動画像ＩＤが全体領域に割り当てられている場合、先のスケジュールの投影時間帯と後のスケジュールの投影時間帯との間隔が狭いと、充分な準備区間を確保できないため、エラーメッセージが出力されることになる。このように、エラーメッセージを出力して、スケジュール情報への組み込みが行われないようにすることで、スケジュール生成部３７２によれば、後のスケジュールの投影開始が遅れるといった事態を未然に回避することができる。
【０１５６】
図１７（ｂ）の例は、スケジュール生成画面１２００において所定の投影時間帯を入力して動画像ＩＤ＝コンテンツ５００を選択した場合に、その準備区間が、動画像ＩＤ＝コンテンツ４００が選択された他のスケジュールの終了区間と重複したことを示している。このような場合、スケジュール生成部３７２は、充分な準備区間を確保することができないと判定し、エラーメッセージを出力する。このように、動画像ＩＤが分割領域に割り当てられていた場合であっても、先のスケジュールにおいて同じ分割領域が割り当てられていた場合には、充分な準備区間が確保できないケースが生じえる。その場合、スケジュール生成画面１２００には、エラーメッセージが出力されることになる。このように、エラーメッセージを出力して、スケジュール情報への組み込みが行われないようにすることで、スケジュール生成部３７２によれば、後のスケジュールの投影開始が遅れるといった事態を未然に回避することができる。
【０１５７】
図１７（ｃ）の例は、スケジュール生成画面１２００において所定の投影時間帯を入力して動画像ＩＤ＝コンテンツ３００を選択した場合に、その準備区間が、動画像ＩＤ＝コンテンツ１００が選択された他のスケジュールの終了区間と重複したことを示している。このような場合、スケジュール生成部３７２は、充分な準備区間を確保することができないと判定し、エラーメッセージを出力する。このように、動画像ＩＤが全体領域と分割領域とにそれぞれ割り当てられている場合であっても、領域の一部が重複している場合には、当該領域において充分な準備区間を確保できないため、エラーメッセージが出力されることになる。このように、エラーメッセージを出力して、スケジュール情報への組み込みが行われないようにすることで、スケジュール生成部３７２によれば、後のスケジュールの投影開始が遅れるといった事態を未然に回避することができる。
【０１５８】
図１８（ａ）の例は、スケジュール生成画面１２００において所定の投影時間帯を入力して動画像ＩＤ＝コンテンツ８００を選択した場合に、その準備区間が、動画像ＩＤ＝コンテンツ７００が選択された他のスケジュールの終了区間と重複したことを示している。このような場合、スケジュール生成部３７２は、充分な準備区間を確保することができないと判定し、エラーメッセージを出力する。このように、異なる分割領域に動画像ＩＤが割り当てられていた場合であっても、分割領域の一部が重複している場合には、充分な準備区間が確保できないケースが生じえる。その場合、スケジュール生成画面１２００には、エラーメッセージが出力されることになる。このように、エラーメッセージを出力して、スケジュール情報への組み込みが行われないようにすることで、スケジュール生成部３７２によれば、後のスケジュールにおいて分割領域の一部について投影開始が遅れるといった事態を未然に回避することができる。
【０１５９】
図１８（ｂ）の例は、スケジュール生成画面１２００において所定の投影時間帯を入力して動画像ＩＤ＝コンテンツ２００を選択した場合に、その準備区間が、他の２つのスケジュールの終了区間と重複したことを示している。このような場合、スケジュール生成部３７２は充分な準備区間を確保することができないと判定し、エラーメッセージを出力する。このように、直前の投影時間帯のみならず、２つ前の投影時間帯との間隔が狭い場合にも、充分な準備区間を確保できなければ、エラーメッセージが出力されることになる。このように、エラーメッセージを出力して、スケジュール情報への組み込みが行われないようにすることで、スケジュール生成部３７２によれば、後のスケジュールにおいて、全体領域の一部について投影開始が遅れるといった事態を未然に回避することができる。
【０１６０】
＜１０．まとめ＞
以上の説明から明らかなように、本実施形態に係る画像投影システム３００では、
・複数の窓ガラスが含まれる建物の外面の所定領域を分割し、複数の分割領域を生成し、それぞれの分割領域に、広告主より提供される動画像を割り当てる割り当て処理を行う。
・広告主より提供される動画像を、割り当てられた分割領域に含まれる複数の窓ガラスの位置及び大きさに基づいて分割することで、投影用動画像群を生成する画像処理を行う。
・生成した投影用動画像群の各投影用動画像を、対応するプロジェクタを介して、複数の窓ガラスに対応する電動スクリーンそれぞれに投影するためのスケジュールの入力を受け付ける。
・スケジュールが入力された場合に、当該スケジュールに基づきプロジェクタを介して投影を行うための準備区間または終了区間が、他のスケジュールに基づき当該プロジェクタを介して投影を行うための準備区間または終了区間と重複しているか否かを判定する。
・重複していないと判定した場合に、入力されたスケジュールを組み込むことで、スケジュール情報を生成する。
【０１６１】
これにより、１つの建物を領域ごと、投影時間帯ごとにわけて各投影用動画像を投影する場合であっても、他のスケジュールと処理区間（準備区間または終了区間）が重複することがない適切なスケジュールをスケジュール情報に組み込むことが可能になる。
【０１６２】
つまり、本実施形態に係る画像投影システム３００によれば、複数の面を組み合わせて利用するデジタルサイネージを実現するにあたり、適切なスケジュールを組むことができる。
【０１６３】
［第２の実施形態］
上記第１の実施形態では、入力したスケジュールにおいて投影終了時刻から起算した終了区間が、他のスケジュールの準備区間と重複すると判定した場合に、エラーメッセージを出力する構成とした。しかしながら、投影終了時刻から起算した終了区間が、他のスケジュールの準備区間と重複すると判定した場合に、重複する準備区間及び終了区間における処理内容を変更し、非処理区間とすることで、スケジュール情報に組み込むように構成してもよい。
【０１６４】
具体的には、サイネージ制御部３７３を変更手段として機能させ、投影終了時刻前にスクリーンＯＦＦ指示、電飾ＯＮ指示、ランプＯＦＦ指示の送信を行わず、投影終了指示のみを送信する設定にし、入力したスケジュールの終了区間を「非処理区間」に変更する。同様に、サイネージ制御部３７３を変更手段として機能させ、投影開始時刻前にランプＯＮ指示、電飾ＯＦＦ指示、スクリーンＯＮ指示の送信を行わず、投影開始指示のみを送信する設定にし、他のスケジュールの準備区間を「非処理区間」に変更する。
【０１６５】
これにより、入力したスケジュールの終了区間が他のスケジュールの準備区間と重複することがなくなり、入力したスケジュールをスケジュール情報に組み込むことが可能になる。
【０１６６】
この場合、投影終了時刻において、電動スクリーンのＯＮ状態、電飾装置のＯＦＦ状態、プロジェクタのランプのＯＮ状態が維持されることになる。この結果、他のスケジュールの投影開始時刻において、円滑に投影を開始することができる。
【０１６７】
なお、準備区間及び終了区間における処理内容を変更するのは、重複した領域に含まれる窓ガラスに対応付けられたサイネージ装置に限られるものとする。例えば、図１７（ｃ）の場合、分割領域１に含まれる窓ガラスに対応付けられたサイネージ装置に対しては、投影終了指示及び投影開始指示のみを送信する（終了区間及び準備区間における処理内容を変更する）。一方、分割領域２に含まれる窓ガラスに対応付けられたサイネージ装置に対しては、スクリーンＯＦＦ指示、電飾ＯＮ指示、ランプＯＦＦ指示、投影終了指示を送信する（終了区間における処理内容を変更しない）。また、分割領域２に含まれる窓ガラスに対応付けられたサイネージ装置に対しては、ランプＯＮ指示、投影開始指示、電飾ＯＦＦ指示、スクリーンＯＮ指示を送信する（準備区間における処理内容を変更しない）。
【０１６８】
このように、本実施形態では、処理区間が重複する場合に、重複する処理区間の処理内容を変更し非処理区間とすることで、処理区間の重複を解消することができる。つまり、処理区間が重複することがないようにスケジュールを組み込むことが可能になる。
【０１６９】
なお、本実施形態では、入力したスケジュールの終了区間が他のスケジュールの準備区間と重複する場合について説明したが、入力したスケジュールの準備区間が他のスケジュールの終了区間と重複する場合についても同様である。
【０１７０】
また、本実施形態では、非処理区間への変更をサイネージ制御部３７３が自動で行うものとして説明したが、エラーメッセージを出力したうえで、非処理区間への変更を手動で行うように構成してもよい。この場合、非処理区間への手動による変更指示を一括して受け付けるように構成してもよいし、指示（例えば、ランプＯＮ指示、電飾ＯＦＦ指示、スクリーンＯＮ指示）ごとに個別に変更指示を受け付けるように構成してもよい。
【０１７１】
［第３の実施形態］
上記第１の実施形態において、投影用動画像生成部３７１は、投影用動画像群を生成したタイミングで、対応するプロジェクタに投影用動画像を送信するものとして説明した。しかしながら、送信時に、送信先のプロジェクタが投影時間帯または処理区間であった場合、投影用動画像を送信すると、当該プロジェクタの処理負荷が上がる。そこで、投影用動画像生成部３７１による投影用動画像の送信は、投影時間帯以外かつ処理区間以外の時間帯に行うように構成してもよい。
【０１７２】
このとき、所定の分割領域のみが投影時間帯または処理区間であった場合には、当該所定の分割領域以外の分割領域に含まれる窓ガラスに対応付けられたプロジェクタについては、投影用動画像を送信しても問題がない。そこで、投影用動画像生成部３７１は、スケジュール情報に基づいて、投影時間帯及び処理区間の分割領域を識別し、識別した分割領域以外の分割領域に含まれる窓ガラスに対応付けられたプロジェクタに対して、生成した投影用動画像を送信する。一方、識別した分割領域に含まれる窓ガラスに対応付けられたプロジェクタについては、投影時間帯後かつ処理区間経過後に、生成した投影用動画像の送信を行う。
【０１７３】
これにより、プロジェクタの処理負荷が上がることに伴って不具合が発生するといった事態を回避することができる。
【０１７４】
［その他の実施形態］
上記第１の実施形態では、分割領域に含まれるサイネージ装置の数に関わらず、準備区間の時間及び終了区間の時間を一定とした。しかしながら、準備区間の時間及び終了区間の時間は、分割領域に含まれるサイネージ装置の数に応じて変更してもよい。また、組み込み可否判定処理（図１６）において、スケジュール生成部３７２は、サイネージ装置の数に応じて変更した時間に基づいて重複の有無を判定するように構成してもよい。
【０１７５】
また、上記第１の実施形態では、投影終了時刻の直前に終了区間を設定する構成としたが、終了区間は、投影終了時刻の直後または投影終了時刻に跨って設定するように構成してもよい。
【０１７６】
また、上記第１の実施形態では、１のスケジュール生成画面１２００において、投影時間帯を１つのみ入力できるものとして説明したが、１のスケジュール生成画面１２００において、複数の投影時間帯を入力できるように構成してもよい。
【０１７７】
また、上記第１の実施形態では、スケジュール生成画面１２００において、他のスケジュールの表示については特に言及しなかったが、スケジュール生成画面１２００において、スケジュール情報を表示することで、他のスケジュールを可視化してもよい。これにより、スケジュール生成部３７２は、処理区間が重複している領域を明示することができる。
【０１７８】
また、上記第１の実施形態では、１つの窓ガラスに２台のプロジェクタを配置する場合について説明したが、１つの窓ガラスに配置するプロジェクタの数は、２台に限定されない。例えば、１つの窓ガラスに配置するプロジェクタの数は、１台であってもよい。なお、１つの窓ガラスに配置するプロジェクタの数は、窓ガラスごとに異なっていてもよい。
【０１７９】
また、上記第１の実施形態では、各窓ガラスの形状が矩形かつ平面である場合について説明したが、各窓ガラスの形状は矩形でなくてもよい。また、各窓ガラスの表面の形状は曲面であってもよい。
【０１８０】
また、上記第１の実施形態では、所定領域に含まれる各窓ガラスの大きさが同じである場合について説明したが、各窓ガラスの大きさは同じでなくてもよい。各窓ガラスの大きさが異なっていた場合には、それぞれの窓ガラスの大きさに応じて、プロジェクタの投影範囲が調整され、それぞれの窓ガラスの大きさに応じて、画像処理が行われる。
【０１８１】
また、上記第１の実施形態では、広告主より提供される動画像に基づいて投影用動画像を生成する場合について説明したが、広告主より提供される静止画像に基づいて投影用静止画像を生成してもよい。
【０１８２】
また、上記第１の実施形態では、情報処理装置３７０が、投影用動画像生成部３７１、スケジュール生成部３７２、サイネージ制御部３７３を有するものとして説明したが、これらの機能の一部は、他のサイネージ装置において実現してもよい。
【０１８３】
また、上記第１の実施形態では、建物１１０の外面の所定領域に取り付けられた窓ガラスを投影対象として説明したが、投影対象は、窓ガラスに限定されず、他の光透過面であってもよい。また、光透過面は、建物１１０の外面の所定領域に取り付けられたものに限定されず、建物１１０内部の所定領域に取り付けられた光透過面であってもよいし、また、建物以外の物に取り付けられた光透過面であってもよい。
【０１８４】
なお、上記実施形態に挙げた構成等に、その他の要素との組み合わせなど、ここで示した構成に本発明が限定されるものではない。これらの点に関しては、本発明の趣旨を逸脱しない範囲で変更することが可能であり、その応用形態に応じて適切に定めることができる。
【符号の説明】
【０１８５】
１１０                            ：建物
１２０                            ：窓ガラス群
１３０、１３１                    ：投影用動画像群
３１０＿１ａ〜３１０＿３０ｂ      ：プロジェクタ
３２０＿１ａ〜３２０＿３０ｂ      ：外部メモリ
３３０＿１〜３３０＿３０          ：電動スクリーン
３４０                            ：制御装置
３６０                            ：時刻サーバ
３７０                            ：情報処理装置
３７１                            ：投影用動画像生成部
３７２                            ：スケジュール生成部
３７３                            ：サイネージ制御部
３７４                            ：サイネージ対象情報格納部
３７５                            ：動画像情報格納部
３７６                            ：投影用動画像情報管理部
３７７                            ：スケジュール情報管理部
５００                            ：サイネージ対象情報
５１０                            ：所定領域
５２０                            ：原点
５３０                            ：ｘ軸
５４０                            ：ｙ軸
６００                            ：動画像情報
７００                            ：スケジュール情報
１０００                          ：静止画像
１１００                          ：投影用動画像情報
１２００                          ：スケジュール生成画面
１２２０                          ：領域割り当て欄
１２３０                          ：動画像ＩＤ表示欄
１５００                          ：スケジュール情報
１５０１                          ：準備区間
１５０２                          ：終了区間
【先行技術文献】
【特許文献】
【０１８６】
【特許文献１】特開２０１５−２６９９２号公報
【特許文献２】特開２０１６−８５４３５号公報
【図１】
2018097081.tif 000003
【図２】
2018097081.tif 000004
【図３】
2018097081.tif 000005
【図４】
2018097081.tif 000006
【図５】
2018097081.tif 000007
【図６】
2018097081.tif 000008
【図７】
2018097081.tif 000009
【図８】
2018097081.tif 000010
【図９】
2018097081.tif 000011
【図１０】
2018097081.tif 000012
【図１１】
2018097081.tif 000013
【図１２】
2018097081.tif 000014
【図１３】
2018097081.tif 000015
【図１４】
2018097081.tif 000016
【図１５】
2018097081.tif 000017
【図１６】
2018097081.tif 000018
【図１７】
2018097081.tif 000019
【図１８】
2018097081.tif 000020